(57)【要約】【課題】  利用者の欲する情報配信がなされ、この情報内容を利用者が再現している状態で目的地到着を分からせるような情報配信システムを提供する。【解決手段】  ユーザ端末装置２は、サーバ装置１にコンテンツ情報の要求と輸送手段に乗車してユーザ端末装置２を所持するユーザの降車情報とを送信する。サーバ装置１は、受信したコンテンツ情報の要求に対して記憶部１２に記憶されているコンテンツ情報を読み出してユーザ端末装置２に配信する。また、サーバ装置１の制御部１６は、輸送手段に備えられる車両端末装置３から受信する位置情報と受信した降車情報とを基にユーザの降車地への接近を管理し、降車地への接近を検知した際には、所定のコンテンツ情報のストリーミング配信を終了させる。ユーザ端末装置２のユーザは、降車位置近傍でコンテンツが自動終了するので、降車位置近傍で降車合図を見逃す、あるいは聞き逃すことが無くなる。【選択図】  図１
2005354489.tif 000002
【特許請求の範囲】
【請求項１】
サーバ装置からコンテンツ情報を端末装置に配信する情報配信システムであって、
前記端末装置は、
前記サーバ装置に所定のコンテンツ情報の要求情報と輸送手段に乗車するユーザの降車情報とを送信し、前記サーバ装置から前記所定のコンテンツ情報を受信する端末通信部と、
受信した前記所定のコンテンツ情報を再現する表示部と
を備え、
前記サーバ装置は、
前記端末装置から前記要求情報と前記降車情報とを受信し、前記要求情報に応じて前記所定のコンテンツ情報を前記端末装置に送信するサーバ通信部と、
前記降車情報を基に前記ユーザの降車地への接近を判断した場合に、前記端末装置における前記所定のコンテンツ情報の再現の中止を制御する制御部と、
を備えることを特徴とする情報配信システム。
【請求項２】
前記輸送手段に設置され、前記輸送手段の位置情報を取得して前記位置情報を前記サーバ装置に送信する車両端末装置をさらに備え、
前記制御部は、前記車両端末装置から受信する前記位置情報と前記降車情報とを基に前記ユーザの降車地から所定範囲内への到達を判断することを特徴とする請求項１記載の情報配信システム。
【請求項３】
前記端末装置は、前記端末装置の位置情報を取得する手段を備え、取得した前記位置情報を前記サーバ装置に送信し、
前記制御部は、前記端末装置から受信する前記位置情報と前記降車情報とを基に前記ユーザの降車地から所定範囲内への到達を判断することを特徴とする請求項１記載の情報配信システム。
【請求項４】
前記サーバ装置は、前記所定のコンテンツ情報を前記端末装置にストリーミング配信し、前記制御部は、前記所定のコンテンツ情報の配信を終了するように制御することを特徴とする請求項１〜３のいずれか一記載の情報配信システム。
【請求項５】
前記制御部は、前記端末装置における前記所定のコンテンツ情報の再現の停止を示す情報を前記サーバ通信部を介し前記端末装置へ送信するように制御することを特徴とする請求項１〜３のいずれか一記載の情報配信システム。
【請求項６】
前記制御部は、受信した前記降車情報に基づく降車予定時刻と、配信中のコンテンツ情報における未配信となる残時間とから前記降車予定時刻に前記コンテンツ情報が配信完了となるか否かを判断し、配信完了とならない場合には、前記配信中のコンテンツ情報における未配信部分の少なくとも一部を配信しないように制御することを特徴とする請求項１〜４のいずれか一記載の情報配信システム。
【請求項７】
前記制御部は、受信した前記降車情報に基づき前記端末装置への前記コンテンツ情報の配信を終了する際に、前記コンテンツ情報における終了位置情報を生成してブックマーク情報として前記端末装置に前記サーバ通信部を介して送信するように制御することを特徴とする請求項１〜４のいずれか一記載の情報配信システム。
【請求項８】
所定のコンテンツ情報要求と輸送手段に乗車して端末装置を所持するユーザの降車情報とを前記端末装置から受信し、前記所定のコンテンツ情報を前記端末装置に送信する通信部と、
受信した前記降車情報を基に前記ユーザの降車地への接近を管理する車両位置管理部と、
前記所定のコンテンツ情報を記憶する記憶部と、
受信した前記所定のコンテンツ情報要求に対して前記記憶部から前記所定のコンテンツ情報を読み出して前記通信部を介して前記端末装置に送信するように制御し、前記車両位置管理部で管理する前記降車地から所定範囲内への前記ユーザの到達を検知した際に、前記端末装置における前記所定のコンテンツ情報の再現の中止を制御する制御部と、
を備えることを特徴とするサーバ装置。
【請求項９】
前記所定のコンテンツ情報の送信は、ストリーミング配信であり、前記制御部は、前記所定のコンテンツ情報の配信を終了するように制御することを特徴とする請求項８記載のサーバ装置。
【請求項１０】
前記制御部は、前記所定のコンテンツ情報の再現の停止を示す情報を前記通信部を介して前記端末装置に送信するように制御することを特徴とする請求項８記載のサーバ装置。
【請求項１１】
前記制御部は、前記降車情報に基づく降車予定時刻と、配信中のコンテンツ情報における未配信となる残時間とから前記降車予定時刻に前記コンテンツ情報が配信完了となるか否かを判断し、配信完了とならない場合には、前記配信中のコンテンツ情報における未配信部分の少なくとも一部を配信しないように制御することを特徴とする請求項８または９記載のサーバ装置。
【請求項１２】
前記制御部は、前記降車情報に基づき前記端末装置への前記コンテンツ情報の配信を終了する際に、前記コンテンツ情報における終了位置情報を生成して前記端末装置にブックマーク情報として前記通信部を介して送信するように制御することを特徴とする請求項８または９記載のサーバ装置。
【請求項１３】
サーバ装置がコンテンツ情報を端末装置に配信する方法であって、
前記端末装置から所定のコンテンツ情報要求と輸送手段に乗車して端末装置を所持するユーザの降車情報とを受信するステップと、
受信した前記所定のコンテンツ情報要求に対して予め記憶されている前記所定のコンテンツ情報を読み出して前記端末装置に送信するステップと、
受信した前記降車情報を基に前記ユーザの降車地から所定範囲内への前記ユーザの到達を管理するステップと、
前記所定範囲内への到達を検知した際に、前記端末装置における前記所定のコンテンツ情報の再現の中止を制御するステップと、
を含むことを特徴とする情報配信方法。
【請求項１４】
前記所定のコンテンツ情報の配信は、ストリーミング配信であって、前記再現の中止の制御は、前記所定のコンテンツ情報のストリーミング配信の終了であることを特徴とする請求項１３記載の情報配信方法。
【請求項１５】
前記再現の中止の制御は、前記所定のコンテンツ情報の再現の停止を示す情報を前記端末装置に送信する制御であることを特徴とする請求項１３記載の情報配信方法。
【請求項１６】
受信した前記降車情報に基づく降車予定時刻と、配信中のコンテンツ情報における未配信となる残時間とから前記降車予定時刻に前記コンテンツ情報が配信完了となるか否かを判断するステップと、
配信完了とならない場合には、前記配信中のコンテンツ情報における未配信部分の少なくとも一部を配信しないように制御するステップと、
をさらに含むことを特徴とする請求項１３または１４記載の情報配信方法。
【請求項１７】
受信した前記降車情報に基づき前記端末装置への前記コンテンツ情報の配信を終了する際に、前記コンテンツ情報における終了位置情報を生成して前記端末装置にブックマーク情報として送信するステップをさらに含むことを特徴とする請求項１３または１４記載の情報配信方法。
【発明の詳細な説明】
【技術分野】
【０００１】
本発明は、情報配信システムおよび情報配信方法に係り、特に端末装置に対して各種情報を配信する情報配信システムおよび情報配信方法に係る。
【背景技術】
【０００２】
バスや電車などの利用者に対する情報提供は、主として車内アナウンス、車内掲示板（ＬＥＤ表示器）等により行われている。また、利用者の所持する携帯通信端末に、情報提供を行う配信サービスも知られている。例えば、特許文献１には、ユーザの移動中に不要な情報が配信されることがなく、特別な操作無しで目的地到着を検出し、その後に有効なサービス情報が自動的に配信される移動体通信システムにおけるサービス情報配信装置及びサービス情報配信方法が開示されている。
【０００３】
一方、特許文献２には、沿線から見える風景の紹介や沿線の催し物の情報などを、交通機関の乗客に効果的に通知し得る沿線情報案内システム、携帯受信機、及び沿線情報案内方法が開示されている。このシステムは、交通機関の車両内に設備されたコンテンツ配信装置が、コンテンツ配信センタから交通機関の沿線に関連するコンテンツ情報を受信してデータベースに保持し、交通機関の車両内には車両自身の現在の位置を測定できる機能を設け、車両の進行に合わせて、車両の現在位置に対応するコンテンツをデータベースから選択して乗客向けに配信するものである。これにより、交通機関の乗客は沿線で開催されるイベント情報を容易に取得することができる。また、沿線の風景の情報を入手でき、交通機関の利用がより快適になる。
【０００４】
【特許文献１】特開２００３−１８６３３号公報  （図１、図２）
【特許文献２】特開２００４−３２１６０号公報  （図１、図２）
【発明の開示】
【発明が解決しようとする課題】
【０００５】
ところで、バスや電車などの車内では、利用者は、空き時間を利用して携帯通信端末でストリーミング配信した音楽や映像、あるいはゲームといった各種コンテンツを再現して楽しむことも多い。このような場合、コンテンツの再現に集中するあまり、車内アナウンスや車内掲示板により提供される情報を見逃したり聞き逃してしまい、車両が到着地に辿り着いたことに気付かないこともある。そこで、コンテンツの再現を楽しんでいる状態で目的地到着を認知できることが望ましい。
【０００６】
しかしながら、特許文献１の情報配信においては、サービス提供側で用意したコンテンツを配信しており、目的地到着を検出し、その後に有効なサービス情報を配信している。また、特許文献２の情報配信は、車両の現在位置に対応するコンテンツをデータベースから選択して乗客向けに配信している。すなわち、従来においては、利用者が自ら所望したコンテンツを再現して楽しんでいる状態で目的地到着を知らせるような技術を開示していない。
【０００７】
したがって、本発明の目的は、利用者の欲する情報配信がなされ、この情報内容を利用者が再現している状態で目的地到着を分からせるような情報配信システムおよび情報配信方法を提供することにある。
【課題を解決するための手段】
【０００８】
前記目的を達成する本発明の一つのアスペクトに係る情報配信システムは、サーバ装置からコンテンツ情報を端末装置に配信するシステムである。端末装置は、サーバ装置に所定のコンテンツ情報の要求情報と輸送手段に乗車するユーザの降車情報とを送信し、サーバ装置から所定のコンテンツ情報を受信する端末通信部と、受信した所定のコンテンツ情報を再現する表示部とを備える。サーバ装置は、端末装置から要求情報と降車情報とを受信し、要求情報に応じて所定のコンテンツ情報を端末装置に送信するサーバ通信部と、降車情報を基にユーザの降車地への接近を判断した場合に、端末装置における所定のコンテンツ情報の再現の中止を制御する制御部と、を備える。
【０００９】
第１の展開形態の情報配信システムにおいて、輸送手段に設置され、輸送手段の位置情報を取得して位置情報をサーバ装置に送信する車両端末装置をさらに備え、制御部は、車両端末装置から受信する位置情報と降車情報とを基にユーザの降車地から所定範囲内への到達を判断するようにしてもよい。
【００１０】
第２の展開形態の情報配信システムにおいて、端末装置は、端末装置の位置情報を取得する手段を備え、取得した位置情報をサーバ装置に送信し、制御部は、端末装置から受信する位置情報と降車情報とを基にユーザの降車地から所定範囲内への到達を判断するようにしてもよい。
【００１１】
第３の展開形態の情報配信システムにおいて、サーバ装置は、所定のコンテンツ情報を端末装置にストリーミング配信し、制御部は、所定のコンテンツ情報の配信を終了するように制御してもよい。
【００１２】
第４の展開形態の情報配信システムにおいて、制御部は、端末装置における所定のコンテンツ情報の再現の停止を示す情報をサーバ通信部を介し端末装置へ送信するように制御してもよい。
【００１３】
第５の展開形態の情報配信システムにおいて、制御部は、受信した降車情報に基づく降車予定時刻と、配信中のコンテンツ情報における未配信となる残時間とから降車予定時刻にコンテンツ情報が配信完了となるか否かを判断し、配信完了とならない場合には、配信中のコンテンツ情報における未配信部分の少なくとも一部を配信しないように制御してもよい。
【００１４】
第６の展開形態の情報配信システムにおいて、制御部は、受信した降車情報に基づき端末装置へのコンテンツ情報の配信を終了する際に、コンテンツ情報における終了位置情報を生成してブックマーク情報として端末装置にサーバ通信部を介して送信するように制御してもよい。
【００１５】
本発明の第２ののアスペクトに係るサーバ装置は、所定のコンテンツ情報要求と輸送手段に乗車して端末装置を所持するユーザの降車情報とを端末装置から受信し、所定のコンテンツ情報を端末装置に送信する通信部を備える。また、受信した降車情報を基にユーザの降車地への接近を管理する車両位置管理部と、所定のコンテンツ情報を記憶する記憶部と、受信した所定のコンテンツ情報要求に対して記憶部から所定のコンテンツ情報を読み出して通信部を介して端末装置に送信するように制御し、車両位置管理部で管理する降車地から所定範囲内へのユーザの到達を検知した際に、端末装置における所定のコンテンツ情報の再現の中止を制御する制御部と、を備える。
【００１６】
第１の展開形態のサーバ装置において、所定のコンテンツ情報の送信は、ストリーミング配信であり、制御部は、所定のコンテンツ情報の配信を終了するように制御してもよい。
【００１７】
第２の展開形態のサーバ装置において、制御部は、所定のコンテンツ情報の再現の停止を示す情報を通信部を介して端末装置に送信するように制御してもよい。
【００１８】
第３の展開形態のサーバ装置において、制御部は、降車情報に基づく降車予定時刻と、配信中のコンテンツ情報における未配信となる残時間とから降車予定時刻にコンテンツ情報が配信完了となるか否かを判断し、配信完了とならない場合には、配信中のコンテンツ情報における未配信部分の少なくとも一部を配信しないように制御してもよい。
【００１９】
第４の展開形態のサーバ装置において、制御部は、降車情報に基づき端末装置へのコンテンツ情報の配信を終了する際に、コンテンツ情報における終了位置情報を生成して端末装置にブックマーク情報として通信部を介して送信するように制御してもよい。
【００２０】
本発明の第３のアスペクトに係る情報配信方法は、サーバ装置がコンテンツ情報を端末装置に配信する方法である。この方法は、端末装置から所定のコンテンツ情報要求と輸送手段に乗車して端末装置を所持するユーザの降車情報とを受信するステップと、受信した所定のコンテンツ情報要求に対して予め記憶されている所定のコンテンツ情報を読み出して端末装置に送信するステップとを含む。また、受信した降車情報を基にユーザの降車地から所定範囲内へのユーザの到達を管理するステップと、所定範囲内へのユーザの到達を検知した際に、端末装置における所定のコンテンツ情報の再現の中止を制御するステップとを含む。
【００２１】
第１の展開形態の情報配信方法において、所定のコンテンツ情報の配信は、ストリーミング配信であって、再現の中止の制御は、所定のコンテンツ情報のストリーミング配信の終了であってもよい。
【００２２】
第２の展開形態の情報配信方法において、再現の中止の制御は、所定のコンテンツ情報の再現の停止を示す情報を端末装置に送信する制御であってもよい。
【００２３】
第３の展開形態の情報配信方法において、受信した降車情報に基づく降車予定時刻と、配信中のコンテンツ情報における未配信となる残時間とから降車予定時刻にコンテンツ情報が配信完了となるか否かを判断するステップと、配信完了とならない場合には、配信中のコンテンツ情報における未配信部分の少なくとも一部を配信しないように制御するステップと、をさらに含んでもよい。
【００２４】
第４の展開形態の情報配信方法において、受信した降車情報に基づき端末装置へのコンテンツ情報の配信を終了する際に、コンテンツ情報における終了位置情報を生成して端末装置にブックマーク情報として送信するステップをさらに含んでもよい。
【発明の効果】
【００２５】
本発明によれば、利用者の欲するコンテンツの配信がなされ、このコンテンツの再現に利用者の意識が集中しても（利用者が興味・関心をかなり注いでも）、降車位置近傍でコンテンツが自動終了するので、降車合図を見逃す、聞き逃すことが無くなる。
【００２６】
また、配信されるコンテンツは、端末装置の利用者の設定により、完全な形、或いは一部省略した形で取得がなされるので、到着までの時間を気にせずに気軽にコンテンツの取得を行うことが出来る。
【発明を実施するための最良の形態】
【００２７】
本発明の実施形態に係る情報配信システムは、ユーザ端末装置（図１の２）と、ユーザ端末装置からの要求に応じて所定のコンテンツ情報を送信するサーバ装置（図１の１）と、を備える。ユーザ端末装置は、サーバ装置に所定のコンテンツ情報の要求と輸送手段に乗車してユーザ端末装置を所持するユーザの降車情報とを送信する。サーバ装置は、受信した所定のコンテンツ情報の要求に対して記憶部に記憶されている所定のコンテンツ情報を読み出してユーザ端末装置に送信する。また、サーバ装置は、受信した降車情報を基にユーザの降車地への接近（降車地から所定範囲内への到達）を管理し、降車地への接近を検知した際には、ユーザ端末装置における所定のコンテンツ情報の再現に関する制御を行う。再現に関する制御は、例えば、所定のコンテンツ情報のストリーミング配信の終了である。あるいは、所定のコンテンツ情報の再現の停止を示す情報をユーザ端末装置に送信する制御である。以上のようにサーバ装置が動作することで、バスや電車などの輸送手段の利用者が所持するユーザ端末装置は、各種情報がストリーミング配信されると共に降車位置近傍でコンテンツが自動終了するように制御される。したがって、利用者は、降車位置近傍で降車合図を見逃す、あるいは聞き逃すことが無くなる。
【実施例１】
【００２８】
本発明の実施例の情報配信システムについて図面を参照して説明する。図１は、本発明の実施例に係る情報配信システムの構成を表すブロック図である。図１において、情報配信システムは、サーバ装置１と、ユーザ端末装置２と、車両端末装置３と、これらを相互に接続するインターネット等の通信ネットワーク４と、から構成される。なお、通信ネットワーク４は、ユーザ端末装置２および車両端末装置３と接続される不図示の無線通信回線を含むものとする。
【００２９】
サーバ装置１は、情報配信サービスを行う事業者等によって設置されるワークステーション、サーバ等の情報処理装置であり、不図示のコンテンツ提供業者から提供されるデータを基にストリーミング対応のデータを作成（エンコード）するストリーミングデータ作成部１１、ユーザ端末装置２の利用者のユーザ情報（ユーザのＩＤ情報など）１３やユーザ端末装置２に配信するコンテンツ情報（コンテンツデータ、該コンテンツデータに関する再生時間や概要等の情報）１４を記憶する記憶部１２、車両端末装置３あるいはユーザ端末装置２からの測位情報に基づき車両の運行状況（位置情報）を管理する車両位置管理部１５、通信ネットワークとの間のデータ送受によってデータ通信、コンテンツ情報配信を行う通信部１７、およびサーバ装置各部の制御を行い、ストリーミングデータ作成、コンテンツ情報配信などの制御を行う制御部１６を備えている。
【００３０】
なお、ストリーミングデータ作成部１１は、ストリーミングデータとしてコンテンツ提供業者からのデータを所定時間を単位として、例えば予め定められた時間単位（３分毎など）、あるいは総時間に応じて定められる時間単位（総時間の１／１０ずつなど）にエンコードした配信データを記憶部１２に格納するものとする。また、制御部１６は、ユーザ端末装置２からの要求があった場合には、コンテンツ情報の途中（所定時間単位でエンコードされたコンテンツ情報の任意データ）からでも配信を行うように制御するものとする。
【００３１】
ユーザ端末装置２は、無線通信機能を有する、例えば、ＰＤＡ（Personal Digital Assistants）、携帯電話機等であり、通信ネットワーク４を介するデータ通信機能、コンテンツ情報（音楽、動画、静止画、テキストなどの各種情報）を出力する機能などを有している。更に、図２によりユーザ端末装置２の詳細について説明する。ユーザ端末装置２は、不図示の無線基地局との間で無線信号を送受する無線通信部２１と、不図示のＧＰＳ衛星からのＧＰＳ信号を受信して自機位置の測位を行う測位部２２と、各種情報表示を行う表示部２３と、各種情報入力を行うテンキー、スクロール／決定キー等から構成される操作部２４と、通話等のために音声信号処理を行う送受話部２５と、送受話部２５への入力、出力を行う送話器２６および受話器２７と、楽音等を出力するスピーカ２８と、電話帳情報、送受信メール情報、発着呼情報、コンテンツ情報、携帯電話端末の各種設定を記憶する記憶部２９と、携帯電話端末各部の制御を行い、電話通話機能、データ通信機能、コンテンツ出力機能などの制御を行う制御部３０とから主に構成される。
【００３２】
また、車両端末装置３は、電車、バスなどの車内に設置される情報処理装置であり、当該車両の測位（位置検出）機能、通信ネットワーク４を介するデータ通信機能などを有している。
【００３３】
次に、情報配信システムの動作について、図３、図４を参照して説明する。図３は、本発明の実施例に係る情報配信システムの動作を表すフローチャート図である。また、図４は、サーバ装置における位置情報管理の動作を表すフローチャート図である。
【００３４】
電車、バスなどに乗車したユーザ端末装置２の利用者がコンテンツ配信を所望し降車合図を要する場合、ユーザ端末装置２から車両情報および情報配信要求をユーザのＩＤと共にサーバ装置１に送信する（ステップＳ１１）。車両情報は、当該乗車した車両の情報および降車地に関する情報であり、例えば、「乗車駅：○○駅××時△△分発、降車駅：□□駅」のような情報を送信する。また、情報配信要求は、降車地域に関する情報や利用者の嗜好に基づく情報など、利用者により選択されたコンテンツ情報の配信要求である。
【００３５】
ユーザ端末装置２から車両情報および情報配信要求を受けたサーバ装置１は、ユーザのＩＤの認証を行い、当該車両の位置情報管理を開始する（ステップＳ１２）。すなわち、ユーザ端末装置２からの車両情報を基に該当する車両端末装置３に対して位置情報を逐次送信するように要求する。
【００３６】
すなわち、図４に示すように、サーバ装置１が車両端末装置３に対して車両の位置情報の取得を要求し（ステップＳ４０）、要求を受信した車両端末装置３は、位置情報の取得を開始する（ステップＳ４１）。そして位置情報を逐次取得して当該車両の位置情報をサーバ装置１に送信することを繰り返す（ステップＳ４２〜Ｓ４５）。なお、サーバ装置１が所定の時間ごとに該当する車両端末装置３にアクセスして当該車両の位置情報を取得するようにしてもよい。サーバ装置１は、車両がユーザの降車予定地に接近した時に、車両端末装置３に対して位置情報の取得の停止を要求し（ステップＳ４６）、車両端末装置３は、位置情報の取得を停止し、サーバ装置１への通知を終了する（ステップＳ４７）。
【００３７】
一方、サーバ装置１は、ユーザ端末装置２から要求のあったコンテンツ情報の配信を開始する（ステップＳ１３）。すなわち、サーバ装置１の制御部１６は、ストリーミングデータ作成部１１によって作成されて記憶部１２に格納されたコンテンツ情報１４（例えば、３分単位にエンコードされたコンテンツ情報）を順次ユーザ端末装置２へストリーミング配信する。ユーザ端末装置２では、ストリーミング配信されたコンテンツが表示部２３やスピーカ２８によって再現される。
【００３８】
また、車両の位置情報管理は、ステップＳ１４において車両端末装置３からの位置情報を基に車両位置情報が更新されたか否かを判断することで行われる。
【００３９】
車両位置情報が更新されたならば、サーバ装置１が車両の位置情報とユーザ端末装置２の利用者の要求である降車地（到着地）との所定内への接近を判定し（ステップＳ１５）、未だ接近していない場合にはステップＳ１４に戻る。なお、降車情報が時間情報であって、降車地（到着地）との接近を降車時刻を基に判断するようにしてもよい。
【００４０】
次に、配信中のコンテンツ情報の残り時間を算出する（ステップＳ１６）。さらに、降車地の到着前に配信が終了するか否かを判断し（ステップＳ１７）、配信が終了する場合には継続してコンテンツの配信を行う（ステップＳ１８）。その後、到着地がより近づいたならばサーバ装置１は、降車合図（例えば、まもなく到着地であることを）をユーザ端末装置２に出力する（ステップＳ２５）。この降車合図は、例えば可聴表示によるもの、テロップのように表示部２３に表示されるものであってもよい。また、単にコンテンツを終了するだけであって、降車合図を表示しなくともよい。
【００４１】
一方、到着前に配信が終了しない場合、未配信コンテンツ情報が所定時間以上、或いは未配信コンテンツ情報が所定割合以上（例えば、未配信コンテンツが全体の１０％以上）であるか否かを判断する（ステップＳ１９）。所定時間あるい所定割合以上の場合には、配信中のコンテンツ情報のブックマーク情報（当該コンテンツの視聴済情報）を生成する（ステップＳ２０）。その後、コンテンツ情報の配信を終了し（ステップＳ２１）、生成したブックマーク情報をユーザ端末装置２に送信し（ステップＳ２２）、ステップＳ２５に進む。
【００４２】
すなわち、サーバ装置１の制御部１６は、ブックマーク情報として、配信しているコンテンツ情報の内どこまで視聴したかを示す情報（所定時間単位でエンコードされたコンテンツ情報の内どこまで配信したかを示す情報）を生成してユーザ端末装置２に送信することで、ユーザ端末装置２の利用者がコンテンツ情報を続けて視聴したい場合に、該ブックマーク情報をサーバ装置１に送信することで視聴済み以降のデータ配信を受けることができるようにする。
【００４３】
また、未配信コンテンツ情報が所定時間未満、或いは未配信コンテンツ情報が所定割合未満（例えば、未配信コンテンツが全体の１０％未満）である場合には、配信中のコンテンツ情報の一部コンテンツ情報を削除して間引き（ステップＳ２３）、ユーザ端末装置２に送信し（ステップＳ２４）、ステップＳ２５に進む。
【００４４】
すなわち、サーバ装置１の制御部１６は、配信しているコンテンツ情報について、残りの所定時間単位にエンコードされたコンテンツ情報の内、少なくとも一部のコンテンツ情報の配信を行わない（例えば１つおきの単位に情報配信する）ように制御する。
【００４５】
なお、到着前に配信が終了しない場合の設定は、ユーザ端末装置２の利用者の事前設定により行うようにしてもよい。この設定は、配信されるコンテンツ種別（動画、音楽、テキスト、ゲーム等）に基づいて任意の事前設定がなされるようにしても良い。例えば、動画コンテンツについては、ブックマーク挿入を行う、あるいは間引くような設定を有効とし、その他のコンテンツ（音楽、オンラインゲームなど）については、配信を打ち切るような設定をしても良い。
【００４６】
また、本実施例では、ユーザ端末装置２の位置情報は、車両端末装置３による測位によって求めるが、ユーザ端末装置２の有する測位部２２の測位機能（ＧＰＳ機能）により算出するようにしても良い。すなわち、サーバ装置１がユーザ端末装置２からの位置情報を順次受信して当該位置情報を更新管理し、降車地（到着地）との接近を判断する方法であっても良い。
【００４７】
以上の説明では、ストリーミングによる情報配信を前提としているが、例えば、ユーザ端末装置２が予め記憶するコンテンツ情報を出力しているときに無線通信部２１を介してサーバ装置１から送られる降車情報を受信し、当該降車情報に基づく降車予定時刻と処理中のコンテンツ情報の残時間情報とを比較して、コンテンツ情報の出力を変更するよう制御しても良い。すなわち、先に説明したようにコンテンツの間引き、ブックマーク情報の通知、コンテンツ再生の終了などの制御を行うようにしてもよい。
【００４８】
また、配信されるコンテンツは、複数あってもよく、降車地への接近時に再現しているコンテンツに対してコンテンツ情報の出力を変更するよう制御しても良い。
【図面の簡単な説明】
【００４９】
【図１】本発明の実施例に係る情報配信システムの構成を表すブロック図である。
【図２】本発明の実施例に係るユーザ端末装置の構成を表すブロック図である。
【図３】本発明の実施例に係る情報配信システムの動作を表すフローチャート図である。
【図４】サーバ装置における位置情報管理の動作を表すフローチャート図である。
【符号の説明】
【００５０】
１  サーバ装置
２  ユーザ端末装置
３  車両端末装置
４  ネットワーク
１１  ストリーミングデータ作成部
１２  記憶部
１３  ユーザ情報
１４  コンテンツ情報
１５  車両位置管理部
１６  制御部
１７  通信部
２１  無線通信部
２２  測位部
２３  表示部
２４  操作部
２５  送受話部
２６  送話器
２７  受話器
２８  スピーカ
２９  記憶部
３０  制御部
【図１】
2005354489.tif 000003
【図２】
2005354489.tif 000004
【図３】
2005354489.tif 000005
【図４】
2005354489.tif 000006